【手続補正書】
【提出日】平成16年6月8日(2004.6.8)
【手続補正１】
【補正対象書類名】明細書
【補正対象項目名】特許請求の範囲
【補正方法】変更
【補正の内容】
【特許請求の範囲】
【請求項１】
撮像装置と通信可能に接続される情報処理装置であって、
上記撮像装置のモード情報を取得するモード取得手段と、
上記モード取得手段により得られたモード情報に基づいて、表示手段での情報の表示形態を制御する制御手段とを備えることを特徴とする情報処理装置。
【請求項２】
撮像装置と通信可能に接続される情報処理装置であって、
上記撮像装置からの少なくとも画像情報を含む情報を表示する表示手段と、
上記撮像装置のモード情報を取得するモード取得手段と、
上記モード取得手段により得られたモード情報に基づいて、上記表示手段での上記情報の表示形態を制御する制御手段とを備えることを特徴とする情報処理装置。
【請求項３】
上記制御手段は、上記表示手段での表示形態を、上記撮像装置での表示形態に対応させることを特徴とする請求項１又は２に記載の情報処理装置。
【請求項４】
上記撮像装置に対する動作指示を入力するための操作手段を備え、
上記制御手段は、上記操作手段により入力された動作指示を上記撮像装置へ与えることを特徴とする請求項１又は２に記載の情報処理装置。
【請求項５】
撮像装置と通信可能に接続される情報処理装置であって、
上記撮像装置が接続されたことを検出すると共に、上記撮像装置のモード情報を自動的に取得する通信手段と、
上記撮像装置の画像情報を含む情報を表示する表示手段と、
上記通信手段にて得られた上記撮像装置の接続検出結果に基づいて、上記表示手段の表示制御を行なう制御手段とを備え、
上記制御手段は、上記通信手段で得られた上記撮像装置のモード情報に応じた表示形態で、上記表示手段が情報表示を行なうように制御することを特徴とする情報処理装置。
【請求項６】
上記制御手段は、上記通信手段を介して上記撮像装置の動作制御を行なうことを特徴とする請求項５に記載の情報処理装置。
【請求項７】
上記制御手段は、上記撮像装置のモードの切り替えに応じて、上記表示手段での表示形態を自動的に切り替える制御を行なうことを特徴とする請求項５に記載の情報処理装置。
【請求項８】
上記制御手段は、上記通信手段を介して、上記撮像装置のモードを切り替えると共に、そのモード切り替えに応じて、上記表示手段での表示形態を自動的に切り替える制御を行なうことを特徴とする請求項５に記載の情報処理装置。
【請求項９】
上記撮像装置のモードは、装置内の画像を１枚表示するシングル再生モードと、装置内の画像を複数表示するマルチ再生モードと、撮影動作を実行する撮影モードと、画像のパノラマ合成を行うために被写体を分割して撮影するための撮影動作を実行するパノラマアシストモードとの少なくとも１つのモードを含み、
上記制御手段は、上記シングル再生モードの時には上記表示手段が上記撮像装置内の画像のうちの１枚の画像を表示するための制御と、上記マルチ再生モードの時には上記表示手段が上記撮像装置内の画像のうちの複数枚の画像を表示するための制御と、上記撮影モードの時には上記表示手段が当該モードでの撮影動作による画像を表示するための制御と、上記パノラマアシストモードの時には上記表示手段が当該撮影動作による画像を表示するための制御との少なくとも１つの制御を実行することを特徴とする請求項１、２、５の何れか１項に記載の情報処理装置。
【請求項１０】
上記制御手段は、上記撮像装置が上記撮影モードの場合、上記撮像装置から転送されてくる撮影画像を上記表示手段がリアルタイムに表示するための制御を行なうことを特徴とする請求項９に記載の情報処理装置。
【請求項１１】
上記制御手段は、上記撮像装置が上記シングル再生モード又はマルチ再生モードの場合、上記撮像装置に設けられた操作部での操作に基づいて、上記表示手段の表示画像を当該画像より撮影時間の古い画像又は新しい画像に切り替える制御を行なうことを特徴とする請求項９に記載の情報処理装置。
【請求項１２】
上記制御手段は、上記シングル再生モード又はマルチ再生モードの場合、上記撮像装置での表示画像を当該画像より撮影時間の古い画像又は新しい画像に切り替えるための制御を行なうことを特徴とする請求項９に記載の情報処理装置。
【請求項１３】
上記撮像装置のモードは、上記画像のパノラマ合成を実行するためのパノラマ合成モードを含み、
上記制御手段は、上記撮像装置が上記パノラマ合成モードの場合、上記表示手段が上記パノラマ合成を実行するための画面を表示するように上記表示手段を制御することを特徴とする請求項９に記載の情報処理装置。
【請求項１４】
上記制御手段は、上記撮像装置での表示画像と常に同一の画像を表示するように上記表示手段を制御することを特徴とする請求項１、２、５の何れか１項に記載の情報処理装置。
【請求項１５】
上記制御手段は、上記撮像装置に設けられた操作部が操作され上記撮像装置での表示画像が切り替わった場合、その切り替わった後の画像を取得して表示するように上記表示手段を制御することを特徴とする請求項１４に記載の情報処理装置。
【請求項１６】
上記撮像装置に設けられた操作部に対応した操作手段を備え、
上記制御手段は、上記操作手段での操作に基づいて上記撮像装置が動作するための制御を行なうことを特徴とする請求項１、２、５の何れか１項に記載の情報処理装置。
【請求項１７】
上記制御手段は、上記表示手段にて表示される上記撮像装置の画像情報を記録するための制御を行なうことを特徴とする請求項１、２、５の何れか１項に記載の情報処理装置。
【請求項１８】
上記制御手段は、上記撮像装置に設けられた操作部での操作に基づいた動作制御を行なうことを特徴とする請求項１、２、５の何れか１項に記載の情報処理装置。
【請求項１９】
複数の機器が通信可能なように接続されてなる情報処理システムであって、
上記複数の機器のうち少なくとも１つの機器は、請求項１〜１８の何れか１項に記載の情報処理装置の機能を有することを特徴とする情報処理システム。
【請求項２０】
撮像装置にて得られる情報を、当該撮像装置に通信可能に接続される情報処理装置にて処理するための動作制御方法であって、
上記情報処理装置が、上記撮像装置のモード情報を取得するモード取得ステップと、
上記情報処理装置において、上記モード取得ステップにより得られたモード情報に基づいて、表示手段での情報の表示形態を制御する制御ステップとを含むことを特徴とする動作制御方法。
【請求項２１】
撮像装置にて得られる情報を、当該撮像装置に通信可能に接続される情報処理装置にて処理するための動作制御方法であって、
上記情報処理装置が、上記撮像装置の画像情報を含む情報を表示する表示ステップと、
上記情報処理装置が、上記撮像装置のモード情報を取得するモード取得ステップと、
上記情報処理装置において、上記モード取得ステップにより得られたモード情報に基づいて、上記表示ステップでの表示形態を制御する制御ステップとを含むことを特徴とする動作制御方法。
【請求項２２】
上記制御ステップは、上記情報処理装置での表示形態を、上記撮像装置での表示形態に対応させるステップを含むことを特徴とする請求項２０又は２１に記載の動作制御方法。
【請求項２３】
上記制御ステップは、上記情報処理装置の操作手段での操作に基づいて、上記撮像装置に対して動作指示するステップを含むことを特徴とする請求項２０又は２１に記載の動作制御方法。
【請求項２４】
撮像装置にて得られる情報を、当該撮像装置に通信可能に接続される情報処理装置にて処理するための動作制御方法であって、
上記情報処理装置が、自装置に上記撮像装置が接続されたことを検出し、上記撮像装置のモード情報を自動的に取得する通信ステップと、
上記情報処理装置が、上記撮像装置の画像情報を含む情報を表示する表示ステップと、
上記情報処理装置において、上記通信ステップでの上記撮像装置の接続検出結果に基づいて、上記表示ステップでの表示形態が、上記通信ステップにより得られた上記撮像装置のモード情報に応じた表示形態となるように制御する制御ステップとを含むことを特徴とする動作制御方法。
【請求項２５】
上記制御ステップは、上記情報処理装置が上記撮像装置の動作制御を行なうステップを含むことを特徴とする請求項２４に記載の動作制御方法。
【請求項２６】
上記通信ステップは、上記情報処理装置が上記撮像装置のモードの切り替えを検出するステップを含み、
上記制御ステップは、上記通信ステップにより検出された上記撮像装置のモードの切り替えに応じて、上記情報処理装置での表示形態を自動的に切り替えるステップを含むことを特徴とする請求項２４に記載の動作制御方法。
【請求項２７】
上記制御ステップは、上記情報処理装置が、上記撮像装置のモードを切り替えるステップと、当該ステップによるモード切り替えに応じて上記表示ステップでの表示形態を自動的に切り替えるステップとを含むことを特徴とする請求項２４に記載の動作制御方法。
【請求項２８】
上記撮像装置のモードは、装置内の画像を１枚表示するシングル再生モードと、装置内の画像を複数表示するマルチ再生モードと、撮影動作を実行する撮影モードと、画像のパノラマ合成を行うために被写体を分割して撮影するための撮影動作を実行するパノラマアシストモードとの少なくとも１のモードを含み、
上記制御ステップは、上記撮像装置がシングル再生モードの時には上記情報処理装置にて上記撮像装置内の画像のうちの１枚の画像を表示するステップと、上記撮像装置がマルチ再生モードの時には上記情報処理装置にて上記撮像装置内の画像のうちの複数枚の画像を表示するステップと、上記撮像装置が撮影モードの時には上記情報処理装置にて当該モードでの撮影動作による画像を表示するステップと、上記撮像装置がパノラマアシストモードの時には上記情報処理装置にて当該モードでの撮影動作による画像を表示するステップとの少なくとも１つのステップを含むことを特徴とする請求項２０、２１、２４の何れか１項に記載の動作制御方法。
【請求項２９】
上記制御ステップは、上記撮像装置が上記撮影モードの場合、上記撮像装置が撮影動作により得られた撮影画像を上記情報処理装置へ転送し、上記情報処理装置にて当該撮影画像をリアルタイムに表示するステップを含むことを特徴とする請求項２８に記載の動作制御方法。
【請求項３０】
上記制御ステップは、上記撮像装置が上記シングル再生モード又はマルチ再生モードの場合、上記撮像装置又は上記情報処理装置が、表示画像を当該画像より撮影時間の古い画像又は新しい画像に切り替えるためのステップを含むことを特徴とする請求項２８に記載の動作制御方法。
【請求項３１】
上記撮像装置のモードは、上記画像のパノラマ合成を実行するためのパノラマ合成モードを含み、
上記制御ステップは、上記撮像装置が上記パノラマ合成モードの場合、上記情報処理装置にて上記パノラマ合成を実行するための画面を表示するステップを含むことを特徴とする請求項２８に記載の動作制御方法。
【請求項３２】
上記制御ステップは、上記撮像装置での表示形態と上記情報処理装置での表示形態を常に同一にするステップを含むことを特徴とする請求項２０、２１、２４の何れか１項に記載の動作制御方法。
【請求項３３】
上記制御ステップは、上記撮像装置に設けられた操作部が操作され上記撮像装置での表示形態が切り替わった場合、その切り替わった後の表示形態で上記情報処理装置での表示を行なうことを特徴とする請求項３２に記載の動作制御方法。
【請求項３４】
上記制御ステップは、上記情報処理装置の操作手段での操作に基づいて、上記撮像装置の動作制御を行なうステップを含むことを特徴とする請求項２０、２１、２４の何れか１項に記載の動作制御方法。
【請求項３５】
上記情報処理装置の操作手段は、上記撮像装置の操作手段に対応した機能を有することを特徴とする請求項３４に記載の動作制御方法。
【請求項３６】
上記制御ステップは、上記情報処理装置が、上記撮像装置から転送されてくる情報を記録するステップを含むことを特徴とする請求項２０、２１、２４の何れか１項に記載の動作制御方法。
【請求項３７】
上記制御ステップは、上記情報処理装置が、上記撮像装置の操作手段の操作に基づいて動作するステップを含むことを特徴とする請求項２０、２１、２４の何れか１項に記載の動作制御方法。
【請求項３８】
請求項２０〜３７の何れか１項に記載の動作制御方法の処理ステップをコンピュータに実行させるためのプログラムを記録したことを特徴とするコンピュータ読み取り可能な記憶媒体。
【手続補正２】
【補正対象書類名】明細書
【補正対象項目名】０００４
【補正方法】変更
【補正の内容】
【０００４】
そこで、本発明は、上記の欠点を除去するために成されたもので、ディジタルカメラにより撮影して得られた画像をパソコンにて容易に且つ効率的に扱うことが可能な、情報処理装置、情報処理システム、動作制御方法、及び当該動作制御方法をコンピュータに実行させるためのプログラムをコンピュータ読み取り可能に記録した記憶媒体を提供することを目的とする。
【手続補正３】
【補正対象書類名】明細書
【補正対象項目名】０００５
【補正方法】変更
【補正の内容】
【０００５】
【課題を解決するための手段】
本発明の情報処理装置は、撮像装置と通信可能に接続される情報処理装置であって、上記撮像装置のモード情報を取得するモード取得手段と、上記モード取得手段により得られたモード情報に基づいて、表示手段での情報の表示形態を制御する制御手段とを備える。
本発明の情報処理装置における他の態様は、撮像装置と通信可能に接続される情報処理装置であって、上記撮像装置からの少なくとも画像情報を含む情報を表示する表示手段と、上記撮像装置のモード情報を取得するモード取得手段と、上記モード取得手段により得られたモード情報に基づいて、上記表示手段での上記情報の表示形態を制御する制御手段とを備える。
【手続補正４】
【補正対象書類名】明細書
【補正対象項目名】０００６
【補正方法】変更
【補正の内容】
【０００６】
また、本発明の情報処理装置におけるその他の態様は、上記制御手段は、上記表示手段での表示形態を、上記撮像装置での表示形態に対応させる。
【手続補正５】
【補正対象書類名】明細書
【補正対象項目名】０００７
【補正方法】変更
【補正の内容】
【０００７】
また、本発明の情報処理装置におけるその他の態様は、上記撮像装置に対する動作指示を入力するための操作手段を備え、上記制御手段は、上記操作手段により入力された動作指示を上記撮像装置へ与える。
【手続補正６】
【補正対象書類名】明細書
【補正対象項目名】０００８
【補正方法】変更
【補正の内容】
【０００８】
また、本発明の情報処理装置におけるその他の態様は、撮像装置と通信可能に接続される情報処理装置であって、上記撮像装置が接続されたことを検出すると共に、上記撮像装置のモード情報を自動的に取得する通信手段と、上記撮像装置の画像情報を含む情報を表示する表示手段と、上記通信手段にて得られた上記撮像装置の接続検出結果に基づいて、上記表示手段の表示制御を行なう制御手段とを備え、上記制御手段は、上記通信手段で得られた上記撮像装置のモード情報に応じた表示形態で、上記表示手段が情報表示を行なうように制御する。
【手続補正７】
【補正対象書類名】明細書
【補正対象項目名】０００９
【補正方法】変更
【補正の内容】
【０００９】
また、本発明の情報処理装置におけるその他の態様は、上記制御手段は、上記通信手段を介して上記撮像装置の動作制御を行なう。
【手続補正８】
【補正対象書類名】明細書
【補正対象項目名】００１０
【補正方法】変更
【補正の内容】
【００１０】
また、本発明の情報処理装置におけるその他の態様は、上記制御手段は、上記撮像装置のモードの切り替えに応じて、上記表示手段での表示形態を自動的に切り替える制御を行なう。
【手続補正９】
【補正対象書類名】明細書
【補正対象項目名】００１１
【補正方法】変更
【補正の内容】
【００１１】
また、本発明の情報処理装置におけるその他の態様は、上記制御手段は、上記通信手段を介して、上記撮像装置のモードを切り替えると共に、そのモード切り替えに応じて、上記表示手段での表示形態を自動的に切り替える制御を行なう。
【手続補正１０】
【補正対象書類名】明細書
【補正対象項目名】００１２
【補正方法】変更
【補正の内容】
【００１２】
また、本発明の情報処理装置におけるその他の態様は、上記撮像装置のモードは、装置内の画像を１枚表示するシングル再生モードと、装置内の画像を複数表示するマルチ再生モードと、撮影動作を実行する撮影モードと、画像のパノラマ合成を行うために被写体を分割して撮影するための撮影動作を実行するパノラマアシストモードとの少なくとも１つのモードを含み、上記制御手段は、上記シングル再生モードの時には上記表示手段が上記撮像装置内の画像のうちの１枚の画像を表示するための制御と、上記マルチ再生モードの時には上記表示手段が上記撮像装置内の画像のうちの複数枚の画像を表示するための制御と、上記撮影モードの時には上記表示手段が当該モードでの撮影動作による画像を表示するための制御と、上記パノラマアシストモードの時には上記表示手段が当該撮影動作による画像を表示するための制御との少なくとも１つの制御を実行する。
【手続補正１１】
【補正対象書類名】明細書
【補正対象項目名】００１３
【補正方法】変更
【補正の内容】
【００１３】
また、本発明の情報処理装置におけるその他の態様は、上記制御手段は、上記撮像装置が上記撮影モードの場合、上記撮像装置から転送されてくる撮影画像を上記表示手段がリアルタイムに表示するための制御を行なう。
【手続補正１２】
【補正対象書類名】明細書
【補正対象項目名】００１４
【補正方法】変更
【補正の内容】
【００１４】
また、本発明の情報処理装置におけるその他の態様は、上記制御手段は、上記撮像装置が上記シングル再生モード又はマルチ再生モードの場合、上記撮像装置に設けられた操作部での操作に基づいて、上記表示手段の表示画像を当該画像より撮影時間の古い画像又は新しい画像に切り替える制御を行なう。
【手続補正１３】
【補正対象書類名】明細書
【補正対象項目名】００１５
【補正方法】変更
【補正の内容】
【００１５】
また、本発明の情報処理装置におけるその他の態様は、上記制御手段は、上記シングル再生モード又はマルチ再生モードの場合、上記撮像装置での表示画像を当該画像より撮影時間の古い画像又は新しい画像に切り替えるための制御を行なう。
【手続補正１４】
【補正対象書類名】明細書
【補正対象項目名】００１６
【補正方法】変更
【補正の内容】
【００１６】
また、本発明の情報処理装置におけるその他の態様は、上記撮像装置のモードは、上記画像のパノラマ合成を実行するためのパノラマ合成モードを含み、上記制御手段は、上記撮像装置が上記パノラマ合成モードの場合、上記表示手段が上記パノラマ合成を実行するための画面を表示するように上記表示手段を制御する。
【手続補正１５】
【補正対象書類名】明細書
【補正対象項目名】００１７
【補正方法】変更
【補正の内容】
【００１７】
また、本発明の情報処理装置におけるその他の態様は、上記制御手段は、上記撮像装置での表示画像と常に同一の画像を表示するように上記表示手段を制御する。
【手続補正１６】
【補正対象書類名】明細書
【補正対象項目名】００１８
【補正方法】変更
【補正の内容】
【００１８】
また、本発明の情報処理装置におけるその他の態様は、上記制御手段は、上記撮像装置に設けられた操作部が操作され上記撮像装置での表示画像が切り替わった場合、その切り替わった後の画像を取得して表示するように上記表示手段を制御する。
【手続補正１７】
【補正対象書類名】明細書
【補正対象項目名】００１９
【補正方法】変更
【補正の内容】
【００１９】
また、本発明の情報処理装置におけるその他の態様は、上記撮像装置に設けられた操作部に対応した操作手段を備え、上記制御手段は、上記操作手段での操作に基づいて上記撮像装置が動作するための制御を行なう。
【手続補正１８】
【補正対象書類名】明細書
【補正対象項目名】００２０
【補正方法】変更
【補正の内容】
【００２０】
また、本発明の情報処理装置におけるその他の態様は、上記制御手段は、上記表示手段にて表示される上記撮像装置の画像情報を記録するための制御を行なう。
【手続補正１９】
【補正対象書類名】明細書
【補正対象項目名】００２１
【補正方法】変更
【補正の内容】
【００２１】
また、本発明の情報処理装置におけるその他の態様は、上記制御手段は、上記撮像装置に設けられた操作部での操作に基づいた動作制御を行なう。
【手続補正２０】
【補正対象書類名】明細書
【補正対象項目名】００２２
【補正方法】変更
【補正の内容】
【００２２】
本発明の情報処理システムは、複数の機器が通信可能なように接続されてなる情報処理システムであって、上記複数の機器のうち少なくとも１つの機器は、上記情報処理装置の機能を有することを特徴とする。
【手続補正２１】
【補正対象書類名】明細書
【補正対象項目名】００２３
【補正方法】変更
【補正の内容】
【００２３】
本発明の動作制御方法は、撮像装置にて得られる情報を、当該撮像装置に通信可能に接続される情報処理装置にて処理するための動作制御方法であって、上記情報処理装置が、上記撮像装置のモード情報を取得するモード取得ステップと、上記情報処理装置において、上記モード取得ステップにより得られたモード情報に基づいて、表示手段での情報の表示形態を制御する制御ステップとを含む。
本発明の動作制御方法における他の態様は、撮像装置にて得られる情報を、当該撮像装置に通信可能に接続される情報処理装置にて処理するための動作制御方法であって、上記情報処理装置が、上記撮像装置の画像情報を含む情報を表示する表示ステップと、上記情報処理装置が、上記撮像装置のモード情報を取得するモード取得ステップと、上記情報処理装置において、上記モード取得ステップにより得られたモード情報に基づいて、上記表示ステップでの表示形態を制御する制御ステップとを含む。
【手続補正２２】
【補正対象書類名】明細書
【補正対象項目名】００２４
【補正方法】変更
【補正の内容】
【００２４】
また、本発明の動作制御方法におけるその他の態様は、上記制御ステップは、上記情報処理装置での表示形態を、上記撮像装置での表示形態に対応させるステップを含む。
【手続補正２３】
【補正対象書類名】明細書
【補正対象項目名】００２５
【補正方法】変更
【補正の内容】
【００２５】
また、本発明の動作制御方法におけるその他の態様は、上記制御ステップは、上記情報処理装置の操作手段での操作に基づいて、上記撮像装置に対して動作指示するステップを含む。
【手続補正２４】
【補正対象書類名】明細書
【補正対象項目名】００２６
【補正方法】変更
【補正の内容】
【００２６】
また、本発明の動作制御方法におけるその他の態様は、撮像装置にて得られる情報を、当該撮像装置に通信可能に接続される情報処理装置にて処理するための動作制御方法であって、上記情報処理装置が、自装置に上記撮像装置が接続されたことを検出し、上記撮像装置のモード情報を自動的に取得する通信ステップと、上記情報処理装置が、上記撮像装置の画像情報を含む情報を表示する表示ステップと、上記情報処理装置において、上記通信ステップでの上記撮像装置の接続検出結果に基づいて、上記表示ステップでの表示形態が、上記通信ステップにより得られた上記撮像装置のモード情報に応じた表示形態となるように制御する制御ステップとを含む。
【手続補正２５】
【補正対象書類名】明細書
【補正対象項目名】００２７
【補正方法】変更
【補正の内容】
【００２７】
また、本発明の動作制御方法におけるその他の態様は、上記制御ステップは、上記情報処理装置が上記撮像装置の動作制御を行なうステップを含む。
【手続補正２６】
【補正対象書類名】明細書
【補正対象項目名】００２８
【補正方法】変更
【補正の内容】
【００２８】
また、本発明の動作制御方法におけるその他の態様は、上記通信ステップは、上記情報処理装置が上記撮像装置のモードの切り替えを検出するステップを含み、上記制御ステップは、上記通信ステップにより検出された上記撮像装置のモードの切り替えに応じて、上記情報処理装置での表示形態を自動的に切り替えるステップを含む。
【手続補正２７】
【補正対象書類名】明細書
【補正対象項目名】００２９
【補正方法】変更
【補正の内容】
【００２９】
また、本発明の動作制御方法におけるその他の態様は、上記制御ステップは、上記情報処理装置が、上記撮像装置のモードを切り替えるステップと、当該ステップによるモード切り替えに応じて上記表示ステップでの表示形態を自動的に切り替えるステップとを含む。
【手続補正２８】
【補正対象書類名】明細書
【補正対象項目名】００３０
【補正方法】変更
【補正の内容】
【００３０】
また、本発明の動作制御方法におけるその他の態様は、上記撮像装置のモードは、装置内の画像を１枚表示するシングル再生モードと、装置内の画像を複数表示するマルチ再生モードと、撮影動作を実行する撮影モードと、画像のパノラマ合成を行うために被写体を分割して撮影するための撮影動作を実行するパノラマアシストモードとの少なくとも１のモードを含み、上記制御ステップは、上記撮像装置がシングル再生モードの時には上記情報処理装置にて上記撮像装置内の画像のうちの１枚の画像を表示するステップと、上記撮像装置がマルチ再生モードの時には上記情報処理装置にて上記撮像装置内の画像のうちの複数枚の画像を表示するステップと、上記撮像装置が撮影モードの時には上記情報処理装置にて当該モードでの撮影動作による画像を表示するステップと、上記撮像装置がパノラマアシストモードの時には上記情報処理装置にて当該モードでの撮影動作による画像を表示するステップとの少なくとも１つのステップを含む。
【手続補正２９】
【補正対象書類名】明細書
【補正対象項目名】００３１
【補正方法】変更
【補正の内容】
【００３１】
また、本発明の動作制御方法におけるその他の態様は、上記制御ステップは、上記撮像装置が上記撮影モードの場合、上記撮像装置が撮影動作により得られた撮影画像を上記情報処理装置へ転送し、上記情報処理装置にて当該撮影画像をリアルタイムに表示するステップを含む。
【手続補正３０】
【補正対象書類名】明細書
【補正対象項目名】００３２
【補正方法】変更
【補正の内容】
【００３２】
また、本発明の動作制御方法におけるその他の態様は、上記制御ステップは、上記撮像装置が上記シングル再生モード又はマルチ再生モードの場合、上記撮像装置又は上記情報処理装置が、表示画像を当該画像より撮影時間の古い画像又は新しい画像に切り替えるためのステップを含む。
【手続補正３１】
【補正対象書類名】明細書
【補正対象項目名】００３３
【補正方法】変更
【補正の内容】
【００３３】
また、本発明の動作制御方法におけるその他の態様は、上記撮像装置のモードは、上記画像のパノラマ合成を実行するためのパノラマ合成モードを含み、上記制御ステップは、上記撮像装置が上記パノラマ合成モードの場合、上記情報処理装置にて上記パノラマ合成を実行するための画面を表示するステップを含む。
【手続補正３２】
【補正対象書類名】明細書
【補正対象項目名】００３４
【補正方法】変更
【補正の内容】
【００３４】
また、本発明の動作制御方法におけるその他の態様は、上記制御ステップは、上記撮像装置での表示形態と上記情報処理装置での表示形態を常に同一にするステップを含む。
【手続補正３３】
【補正対象書類名】明細書
【補正対象項目名】００３５
【補正方法】変更
【補正の内容】
【００３５】
また、本発明の動作制御方法におけるその他の態様は、上記制御ステップは、上記撮像装置に設けられた操作部が操作され上記撮像装置での表示形態が切り替わった場合、その切り替わった後の表示形態で上記情報処理装置での表示を行なう。
【手続補正３４】
【補正対象書類名】明細書
【補正対象項目名】００３６
【補正方法】変更
【補正の内容】
【００３６】
また、本発明の動作制御方法におけるその他の態様は、上記制御ステップは、上記情報処理装置の操作手段での操作に基づいて、上記撮像装置の動作制御を行なうステップを含む。
【手続補正３５】
【補正対象書類名】明細書
【補正対象項目名】００３７
【補正方法】変更
【補正の内容】
【００３７】
また、本発明の動作制御方法におけるその他の態様は、上記情報処理装置の操作手段は、上記撮像装置の操作手段に対応した機能を有する。
【手続補正３６】
【補正対象書類名】明細書
【補正対象項目名】００３８
【補正方法】変更
【補正の内容】
【００３８】
また、本発明の動作制御方法におけるその他の態様は、上記制御ステップは、上記情報処理装置が、上記撮像装置から転送されてくる情報を記録するステップを含む。
【手続補正３７】
【補正対象書類名】明細書
【補正対象項目名】００３９
【補正方法】変更
【補正の内容】
【００３９】
また、本発明の動作制御方法におけるその他の態様は、上記制御ステップは、上記情報処理装置が、上記撮像装置の操作手段の操作に基づいて動作するステップを含む。
【手続補正３８】
【補正対象書類名】明細書
【補正対象項目名】００４０
【補正方法】変更
【補正の内容】
【００４０】
本発明の記憶媒体は、上記動作制御方法の処理ステップをコンピュータに実行させるためのプログラムをコンピュータ読み取り可能に記録する。